【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成方法であって、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算過程と、
前記本体の各固有振動モードのモード座標上での速度と空気中の観測点における音圧との間のインパルス応答と、前記第１の情報から算出される前記本体の各固有振動モードのモード座標上での速度との畳み込み演算を前記本体の固有振動モード毎に行って、固有振動モード毎の演算結果を足し合わせることによって、前記楽音信号を出力する空気モデル計算過程と
を備えることを特徴とする楽音信号合成方法。
【請求項２】
外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成方法であって、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算過程と、
前記本体の各固有振動モードのモード座標上での速度と空気中の観測点における音圧との間の周波数応答と、前記情報から算出される前記本体の各固有振動モードのモード座標上での速度のＦＦＴとして得られる第１の情報との畳み込み演算を前記本体の固有振動モード毎に行って、固有振動モード毎の演算結果にＩＦＦＴ演算を行って足し合わせることによって、前記楽音信号を出力する空気モデル計算過程と
を備えることを特徴とする楽音信号合成方法。
【請求項３】
外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成方法であって、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算過程と、
前記本体の各固有振動モードのモード座標上での速度と空気中の観測点における音圧との間の周波数応答と、前記第１の情報から算出される前記本体の各固有振動モードのモード座標上での速度のＦＦＴとして得られる情報との畳み込み演算を前記本体の固有振動モード毎に行って、固有振動モード毎の演算結果を足し合わせ、足し合わせた結果にＩＦＦＴ演算を行うことによって、前記楽音信号を出力する空気モデル計算過程と
を備えることを特徴とする楽音信号合成方法。
【請求項４】
前記楽器は、振動する弦をさらに具備し、
前記本体は、前記弦を２つの弦支持端によって支持し、前記弦の振動が前記弦支持端の少なくとも一端を介して伝達されることによって空気中に音を放射し、
前記演奏情報に応じて算出される前記弦に及ぼす力を表す第２の情報、および前記弦支持端の少なくとも一端における変位を表す第３の情報を取得し、前記第２の情報及び前記第３の情報を用いた前記弦の振動を表す第２運動方程式に基づいて、前記弦の各固有振動モードのモード座標上での変位を表す第４の情報を算出し、前記第３の情報および前記第４の情報に基づいて、前記弦が前記弦支持端の少なくとも一端に及ぼす力を表す第５の情報を算出する弦モデル計算過程をさらに備え、
前記第５の情報は、前記外部から伝達される振動により生じる力に対応し、
前記本体モデルは、前記第１の情報に基づいて前記弦モデル計算過程において取得される前記第３の情報を算出する
ことを特徴とする請求項１乃至請求項３のいずれかに記載の楽音信号合成方法。
【請求項５】
コンピュータに、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成させるためのプログラムであって、
コンピュータを、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、
前記本体の各固有振動モードのモード座標上での速度と空気中の観測点における音圧との間のインパルス応答と、前記第１の情報から算出される前記本体の各固有振動モードのモード座標上での速度との畳み込み演算を前記本体の固有振動モード毎に行って、固有振動モード毎の演算結果を足し合わせることによって、前記楽音信号を出力する空気モデル計算手段
として機能させるためのプログラム。
【請求項６】
コンピュータに、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成させるためのプログラムであって、
コンピュータを、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、
前記本体の各固有振動モードのモード座標上での速度と空気中の観測点における音圧との間の周波数応答と、前記情報から算出される前記本体の各固有振動モードのモード座標上での速度のＦＦＴとして得られる第１の情報との畳み込み演算を前記本体の固有振動モード毎に行って、固有振動モード毎の演算結果にＩＦＦＴ演算を行って足し合わせることによって、前記楽音信号を出力する空気モデル計算手段
として機能させるためのプログラム。
【請求項７】
コンピュータに、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成させるためのプログラムであって、
コンピュータを、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、
前記本体の各固有振動モードのモード座標上での速度と空気中の観測点における音圧との間の周波数応答と、前記第１の情報から算出される前記本体の各固有振動モードのモード座標上での速度のＦＦＴとして得られる情報との畳み込み演算を前記本体の固有振動モード毎に行って、固有振動モード毎の演算結果を足し合わせ、足し合わせた結果にＩＦＦＴ演算を行うことによって、前記楽音信号を出力する空気モデル計算手段
として機能させるためのプログラム。
【請求項８】
外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成装置であって、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、
前記本体の各固有振動モードのモード座標上での速度と空気中の観測点における音圧との間のインパルス応答と、前記第１の情報から算出される前記本体の各固有振動モードのモード座標上での速度との畳み込み演算を前記本体の固有振動モード毎に行って、固有振動モード毎の演算結果を足し合わせることによって、前記楽音信号を出力する空気モデル計算手段と
を具備することを特徴とする楽音信号合成装置。
【請求項９】
外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成装置であって、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、
前記本体の各固有振動モードのモード座標上での速度と空気中の観測点における音圧との間の周波数応答と、前記情報から算出される前記本体の各固有振動モードのモード座標上での速度のＦＦＴとして得られる第１の情報との畳み込み演算を前記本体の固有振動モード毎に行って、固有振動モード毎の演算結果にＩＦＦＴ演算を行って足し合わせることによって、前記楽音信号を出力する空気モデル計算手段と
を具備することを特徴とする楽音信号合成装置。
【請求項１０】
外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成装置であって、
前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、
前記本体の各固有振動モードのモード座標上での速度と空気中の観測点における音圧との間の周波数応答と、前記第１の情報から算出される前記本体の各固有振動モードのモード座標上での速度のＦＦＴとして得られる情報との畳み込み演算を前記本体の固有振動モード毎に行って、固有振動モード毎の演算結果を足し合わせ、足し合わせた結果にＩＦＦＴ演算を行うことによって、前記楽音信号を出力する空気モデル計算手段と
を具備することを特徴とする楽音信号合成装置。
【手続補正２】
【補正対象書類名】明細書
【補正対象項目名】００１１
【補正方法】変更
【補正の内容】
【００１１】
上述の課題を解決するため、本発明は、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成方法であって、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算過程と、前記本体の各固有振動モードのモード座標上での速度と空気中の観測点における音圧との間のインパルス応答と、前記第１の情報から算出される前記本体の各固有振動モードのモード座標上での速度との畳み込み演算を前記本体の固有振動モード毎に行って、固有振動モード毎の演算結果を足し合わせることによって、前記楽音信号を出力する空気モデル計算過程とを備えることを特徴とする楽音信号合成方法を提供する。
【手続補正３】
【補正対象書類名】明細書
【補正対象項目名】００１２
【補正方法】変更
【補正の内容】
【００１２】
また、本発明は、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成方法であって、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算過程と、前記本体の各固有振動モードのモード座標上での速度と空気中の観測点における音圧との間の周波数応答と、前記情報から算出される前記本体の各固有振動モードのモード座標上での速度のＦＦＴとして得られる第１の情報との畳み込み演算を前記本体の固有振動モード毎に行って、固有振動モード毎の演算結果にＩＦＦＴ演算を行って足し合わせることによって、前記楽音信号を出力する空気モデル計算過程とを備えることを特徴とする楽音信号合成方法を提供する。
【手続補正４】
【補正対象書類名】明細書
【補正対象項目名】００１３
【補正方法】変更
【補正の内容】
【００１３】
また、本発明は、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成方法であって、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算過程と、前記本体の各固有振動モードのモード座標上での速度と空気中の観測点における音圧との間の周波数応答と、前記第１の情報から算出される前記本体の各固有振動モードのモード座標上での速度のＦＦＴとして得られる情報との畳み込み演算を前記本体の固有振動モード毎に行って、固有振動モード毎の演算結果を足し合わせ、足し合わせた結果にＩＦＦＴ演算を行うことによって、前記楽音信号を出力する空気モデル計算過程とを備えることを特徴とする楽音信号合成方法を提供する。
【手続補正５】
【補正対象書類名】明細書
【補正対象項目名】００１４
【補正方法】変更
【補正の内容】
【００１４】
また、別の好ましい態様において、前記楽器は、振動する弦をさらに具備し、前記本体は、前記弦を２つの弦支持端によって支持し、前記弦の振動が前記弦支持端の少なくとも一端を介して伝達されることによって空気中に音を放射し、前記演奏情報に応じて算出される前記弦に及ぼす力を表す第２の情報、および前記弦支持端の少なくとも一端における変位を表す第３の情報を取得し、前記第２の情報及び前記第３の情報を用いた前記弦の振動を表す第２運動方程式に基づいて、前記弦の各固有振動モードのモード座標上での変位を表す第４の情報を算出し、前記第３の情報および前記第４の情報に基づいて、前記弦が前記弦支持端の少なくとも一端に及ぼす力を表す第５の情報を算出する弦モデル計算過程をさらに備え、前記第５の情報は、前記外部から伝達される振動により生じる力に対応し、前記本体モデルは、前記第１の情報に基づいて前記弦モデル計算過程において取得される前記第３の情報を算出することを特徴とする。
【手続補正６】
【補正対象書類名】明細書
【補正対象項目名】００１５
【補正方法】変更
【補正の内容】
【００１５】
また、本発明は、コンピュータに、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成させるためのプログラムであって、コンピュータを、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、前記本体の各固有振動モードのモード座標上での速度と空気中の観測点における音圧との間のインパルス応答と、前記第１の情報から算出される前記本体の各固有振動モードのモード座標上での速度との畳み込み演算を前記本体の固有振動モード毎に行って、固有振動モード毎の演算結果を足し合わせることによって、前記楽音信号を出力する空気モデル計算手段として機能させるためのプログラムを提供する。
【手続補正７】
【補正対象書類名】明細書
【補正対象項目名】００１６
【補正方法】変更
【補正の内容】
【００１６】
また、本発明は、コンピュータに、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成させるためのプログラムであって、コンピュータを、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、前記本体の各固有振動モードのモード座標上での速度と空気中の観測点における音圧との間の周波数応答と、前記情報から算出される前記本体の各固有振動モードのモード座標上での速度のＦＦＴとして得られる第１の情報との畳み込み演算を前記本体の固有振動モード毎に行って、固有振動モード毎の演算結果にＩＦＦＴ演算を行って足し合わせることによって、前記楽音信号を出力する空気モデル計算手段として機能させるためのプログラムを提供する。
【手続補正８】
【補正対象書類名】明細書
【補正対象項目名】００１７
【補正方法】変更
【補正の内容】
【００１７】
また、本発明は、コンピュータに、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成させるためのプログラムであって、コンピュータを、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、前記本体の各固有振動モードのモード座標上での速度と空気中の観測点における音圧との間の周波数応答と、前記第１の情報から算出される前記本体の各固有振動モードのモード座標上での速度のＦＦＴとして得られる情報との畳み込み演算を前記本体の固有振動モード毎に行って、固有振動モード毎の演算結果を足し合わせ、足し合わせた結果にＩＦＦＴ演算を行うことによって、前記楽音信号を出力する空気モデル計算手段として機能させるためのプログラムを提供する。
【手続補正９】
【補正対象書類名】明細書
【補正対象項目名】００１８
【補正方法】変更
【補正の内容】
【００１８】
また、本発明は、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成装置であって、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、前記本体の各固有振動モードのモード座標上での速度と空気中の観測点における音圧との間のインパルス応答と、前記第１の情報から算出される前記本体の各固有振動モードのモード座標上での速度との畳み込み演算を前記本体の固有振動モード毎に行って、固有振動モード毎の演算結果を足し合わせることによって、前記楽音信号を出力する空気モデル計算手段とを具備することを特徴とする楽音信号合成装置を提供する。
【手続補正１０】
【補正対象書類名】明細書
【補正対象項目名】００１９
【補正方法】変更
【補正の内容】
【００１９】
また、本発明は、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成装置であって、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、前記本体の各固有振動モードのモード座標上での速度と空気中の観測点における音圧との間の周波数応答と、前記情報から算出される前記本体の各固有振動モードのモード座標上での速度のＦＦＴとして得られる第１の情報との畳み込み演算を前記本体の固有振動モード毎に行って、固有振動モード毎の演算結果にＩＦＦＴ演算を行って足し合わせることによって、前記楽音信号を出力する空気モデル計算手段とを具備することを特徴とする楽音信号合成装置を提供する。
【手続補正１１】
【補正対象書類名】明細書
【補正対象項目名】００２０
【補正方法】変更
【補正の内容】
【００２０】
また、本発明は、外部から振動が伝達されることによって空気中に音を放射する本体を有する３次元構造の楽器から発せられる音のうち、空気中の予め設定された観測点において観測される音を模擬した波形を示す楽音信号を、入力される演奏情報に応じて生成する楽音信号合成装置であって、前記演奏情報に応じて算出される前記外部から伝達される振動を用いた前記本体の振動を表す第１運動方程式に基づいて、前記本体の各固有振動モードのモード座標上での変位を表す第１の情報を算出する本体モデル計算手段と、前記本体の各固有振動モードのモード座標上での速度と空気中の観測点における音圧との間の周波数応答と、前記第１の情報から算出される前記本体の各固有振動モードのモード座標上での速度のＦＦＴとして得られる情報との畳み込み演算を前記本体の固有振動モード毎に行って、固有振動モード毎の演算結果を足し合わせ、足し合わせた結果にＩＦＦＴ演算を行うことによって、前記楽音信号を出力する空気モデル計算手段とを具備することを特徴とする楽音信号合成装置を提供する。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】